(57)【要約】【課題】制御基板に対する不正行為をより確実に防止可能な基板ケースユニットを提供する。【解決手段】基板ケースユニットは、二本のロックバンド１７０のロック部１７２がそれぞれボトム側およびトップ側係合部１５０，１６０の内部に収容された状態で取り付けられ、それらのロックバンド１７０によりボトム側およびトップ側係合部１５０，１６０に取り付けられたロックカバー１８０を固定することにより、ボトムケースに対してトップケースが開放方向にスライド移動することを規制するロック機構を備える。【選択図】図１３
2015205083.tif 000002
【特許請求の範囲】
【請求項１】
第１ケース部材および前記第１ケース部材に着脱自在に取り付けられる第２ケース部材を備え、前記第１ケース部材に対して前記第２ケース部材を閉止方向に相対移動させることにより前記第２ケース部材が前記第１ケース部材に閉止状態で保持され、前記第１ケース部材および前記第２ケース部材に囲まれて形成されるケース内部に制御基板を収容する基板ケースユニットにおいて、
被係合構造が形成された帯状のバンド部および係合構造が形成された係合孔を備えて前記バンド部の基端に設けられたロック部を有し、前記バンド部を先端側から前記係合孔に挿入すると前記被係合構造が前記係合構造と係合して前記バンド部を前記係合孔から引き抜けなくなるように構成された二本のバンド部材と、
前記第１および第２ケース部材にそれぞれ形成され、前記閉止状態において互いに係合する第１および第２係合部と、
前記第１および第２係合部を覆って前記第１および第２ケース部材に取り付けられるカバー部材とを有し、
前記第１および第２係合部にそれぞれ、前記バンド部の先端側から挿入されて前記ロック部を前記係合部の内部に収容するとともに前記バンド部の先端側を前記係合部の外部に突出させた状態において前記バンド部材が取り付けられる第１および第２バンド取付部が形成され、
前記第１および第２バンド取付部にそれぞれ取り付けられた前記バンド部材の前記バンド部の先端側を、前記第１および第２ケース部材に取り付けられた前記カバー部材に形成された第１バンド挿通孔を通して前記カバー部材の外部に突出させ、前記バンド部を先端側から前記カバー部材に形成された第２バンド挿通孔を通して前記ロック部の前記係合孔に挿入することにより、前記カバー部材を前記第１および第２ケース部材に固定し、前記第１ケース部材に対して前記第２ケース部材が開放方向に相対移動することを規制するロック機構を備えることを特徴とする基板ケースユニット。
【請求項２】
前記カバー部材は、前記第２バンド挿通孔よりも前記カバー部材の取り外し方向後側の内面が外側に拡がった形状に形成されていることを特徴とする請求項１に記載の基板ケースユニット。
【請求項３】
前記バンド部材の前記ロック部と同様の係合構造が形成された係合孔を備えたケース側ロック部が、前記カバー部材の前記第２バンド挿通孔を通って前記ロック部の前記係合孔に挿入された前記バンド部が先端側から挿入される前記第１および第２係合部の内部の位置にそれぞれ設けられていることを特徴とする請求項１または２に記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。
【０００３】
このような不正行為を防止して公正な遊技に供するため、制御基板は、ともに透明な樹脂材料を用いて形成されたケース本体とその前方に開閉可能に装着されるケース蓋とからなる基板ケース内に収容されている。また、基板ケースには、ケース本体に対してケース蓋を閉止状態で装着したときに、ケース本体の側に形成した係合部とケース蓋の側に形成した係合部とが係合連結することで基板ケースを閉止状態でロックし、ケース蓋（もしくはケース本体）とその係合部との間を繋ぐ連結部をニッパー等の工具を用いて切り離さない限り基板ケースを開放不能にする不正開放防止機構（ロック機構）が設けられている（例えば、特許文献１を参照）。
【先行技術文献】
【特許文献】
【０００４】
【特許文献１】特開２００４‐６５２８０号公報
【発明の概要】
【発明が解決しようとする課題】
【０００５】
しかしながら、制御基板に対する不正行為は巧妙化しており、このような不正行為をより確実に防止する対策が求められている。
【０００６】
本発明は、このような課題に鑑みてなされたものであり、制御基板に対する不正行為をより確実に防止可能な基板ケースユニットを提供することを目的とする。
【課題を解決するための手段】
【０００７】
このような目的達成のために、本発明に係る基板ケースユニットは、第１ケース部材（例えば、実施形態におけるボトムケース１２０）および前記第１ケース部材に着脱自在に取り付けられる第２ケース部材（例えば、実施形態におけるトップケース１３０）を備え、前記第１ケース部材に対して前記第２ケース部材を閉止方向に相対移動させることにより前記第２ケース部材が前記第１ケース部材に閉止状態で保持され、前記第１ケース部材および前記第２ケース部材に囲まれて形成されるケース内部に制御基板を収容するように構成される。その上で、被係合構造（例えば、実施形態におけるバンド部１７１の波状のロック溝）が形成された帯状のバンド部および係合構造（例えば、実施形態における係合孔１７２ａのロック爪）が形成された係合孔を備えて前記バンド部の基端に設けられたロック部を有し、前記バンド部を先端側から前記係合孔に挿入すると前記被係合構造が前記係合構造と係合して前記バンド部を前記係合孔から引き抜けなくなるように構成された二本のバンド部材（例えば、実施形態におけるロックバンド１７０）と、前記第１および第２ケース部材にそれぞれ形成され、前記閉止状態において互いに係合する第１および第２係合部（例えば、実施形態におけるボトム側係合部１５０およびトップ側係合部１６０）と、前記第１および第２係合部を覆って前記第１および第２ケース部材に取り付けられるカバー部材（例えば、実施形態におけるロックカバー１８０）とを有し、前記第１および第２係合部にそれぞれ、前記バンド部の先端側から挿入されて前記ロック部を前記係合部の内部に収容するとともに前記バンド部の先端側を前記係合部の外部に突出させた状態において前記バンド部材が取り付けられる第１および第２バンド取付部（例えば、実施形態におけるバンド取付部１５１，１６１）が形成される。そして、前記第１および第２バンド取付部にそれぞれ取り付けられた前記バンド部材の前記バンド部の先端側を、前記第１および第２ケース部材に取り付けられた前記カバー部材に形成された第１バンド挿通孔を通して前記カバー部材の外部に突出させ、前記バンド部を先端側から前記カバー部材に形成された第２バンド挿通孔を通して前記ロック部の前記係合孔に挿入することにより、前記カバー部材を前記第１および第２ケース部材に固定し、前記第１ケース部材に対して前記第２ケース部材が開放方向に相対移動することを規制するロック機構を備える。
【発明の効果】
【０００８】
本発明によれば、制御基板に対する不正行為をより確実に防止することが可能である。
【図面の簡単な説明】
【０００９】
【図１】本実施形態に係る主制御基板ケースユニットを備えたぱちんこ遊技機の斜視図である。
【図２】上記ぱちんこ遊技機の背面図である。
【図３】上記主制御基板ケースユニットの分解斜視図である。
【図４】上記主制御基板ケースユニットにおけるロック機構を構成するボトム側係合部を示す図であり、（ａ）は斜視図、（ｂ）は後方側面図、（ｃ）は左方側面図である。
【図５】上記ロック機構を構成するトップ側係合部を示す図であり、（ａ）は斜視図、（ｂ）は後方側面図、（ｃ）は右方側面図である。
【図６】上記ロック機構を構成するロックバンドを示す図であり、（ａ）は斜視図、（ｂ）は側面図である。
【図７】上記ロック機構を構成するロックカバーを示す図であり、（ａ）は斜視図、（ｂ）は平面図、（ｃ）は後方から見た側面図である。
【図８】（ａ）は上記トップ側係合部にロックバンドを装着する以前の状態を示す斜視図、（ｂ）はロックバンドを装着した状態を示す斜視図である。
【図９】（ａ）は上記ボトム側係合部にロックバンドを装着する以前の状態を示す断面図、（ｂ）はロックバンドを装着した状態を示す断面図である。
【図１０】上記ボトム側およびトップ側係合部にロックカバーを装着する以前の状態を示す斜視図である。
【図１１】上記ボトム側およびトップ側係合部にロックカバーを装着する以前の状態を示す断面図である。
【図１２】（ａ）は、上記ボトム側およびトップ側係合部にロックカバーを装着してロックバンドを挿入する以前の状態を示す斜視図、（ｂ）はロックバンドを挿入した状態を示す斜視図である。
【図１３】（ａ）は、上記ボトム側およびトップ側係合部にロックカバーを装着してロックバンドを挿入する以前の状態を示す断面図、（ｂ）はロックバンドを挿入した状態を示す断面図である。
【図１４】上記ボトム側およびトップ側係合部にロックカバーを装着して一方のロックバンドを挿入した状態を示す断面図である。
【図１５】上記主制御基板ケースユニットを開放させるためにロックバンドを切断する以前の状態を示す図であり、（ａ）は斜視図、（ｂ）断面図である。
【図１６】（ａ）は上記主制御基板ケースユニットを開放させるためにロックバンドを切断した状態を示す断面図、（ｂ）はロックカバーを取り外す途中の状態を示す断面図である。
【図１７】上記ボトム側およびトップ側係合部の内部にケース側ロック部を配設した場合の構成を示す断面図である。
【図１８】上記ボトム側およびトップ側係合部の内部にカシメ機構を配設した場合の構成を示す斜視図である。
【発明を実施するための形態】
【００１０】
以下、本発明の好ましい実施形態について図面を参照して説明する。本発明に係る基板ケースユニットを備えた遊技機の代表例として、ぱちんこ遊技機ＰＭの斜視図および背面図を図１および図２に示しており、まず、これらの図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａおよび下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１５】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉および着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００および演出制御基板ケースユニット２００が裏セットカバー３０Ｃにより覆われる）。
【００１６】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１７】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射および払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００１９】
［主制御基板ケースユニットの構成］
次に、本実施形態に係る主制御基板ケースユニット１００の構成について図３〜図１６を用いて説明する。なお、図４、図５、図８〜図１６においては、説明の理解を容易にするために、主制御基板ケースユニット１００から要部のみを切り離した状態でこれらのみを取り出して図示している。また、以降の説明においては、説明の便宜のため、上下、前後および左右の方向は図３の状態を基準にして定義し、図３に示す矢印の方向をそれぞれ上下方向、前後方向および左右方向と称して説明する。
【００２０】
主制御基板ケースユニット１００は、図３に示すように、ぱちんこ遊技機ＰＭにおける制御の中枢を担う前述の主制御基板４１と、主制御基板４１を内部に収容する略矩形箱状の基板ケース１１０と、基板ケース１１０を閉止状態でロックするロック機構１４０とを有して構成されている。
【００２１】
主制御基板４１は、詳細図示を省略しているが、矩形状のプリント配線板を基板として種々の半導体デバイスや抵抗、コンデンサ、コネクタ等の電子・電気部品が実装されて構成されている。この主制御基板４１は、基板ケース１１０（後述するトップケース１３０）の内面にネジ止め固定される。
【００２２】
基板ケース１１０は、遊技盤１０の背面に着脱されるボトムケース１２０と、このボトムケース１２０に着脱自在に取り付けられるトップケース１３０とを備えて構成されている。ボトムケース１２０およびトップケース１３０は、透明な樹脂材料（例えば、ポリカーボネート等）を用いて射出成形等の成形手段により形成され、外部からでも基板ケース１１０内を視認可能に構成されている。
【００２３】
ボトムケース１２０は、矩形形状の基壁１２０ａおよび基壁１２０ａの周縁から立設された前後上下の側壁１２０ｂを有し、全体として左面が開放された矩形箱状に形成されている。上下の側壁１２０ｂの外面には複数の取付溝１２１が形成されている。取付溝１２１は、左方に開口する挿入溝部１２１ａと挿入溝部１２１ａの右部（奥部）から後方に延びる係止溝部１２１ｂとから構成され、上下方向から見たときにＬ字状に形成されている。
【００２４】
トップケース１３０は、矩形板状の基壁１３０ａおよび基壁１３１ａの周縁から立設された前後上下の側壁１３０ｂを有し、全体として右面が開放された矩形箱状に形成されている。上下の側壁１３０ｂの内面には、ボトムケース１２０の取付溝１２１と同じ数および同じ配置間隔の取付突起１３１が形成されている。トップケース１３０は、取付突起１３１をボトムケース１２０の取付溝１２１（挿入溝部１２１ａ）に挿入してボトムケース１２０の開口を覆い、その後、ボトムケース１２０に対してトップケース１３０を後方（閉止方向）にスライド移動させて取付突起１３１を取付溝１２１の係止溝部１２１ｂに挿入させることにより、ボトムケース１２０に閉止状態で装着（保持）されるように構成されている。
【００２５】
基板ケース１１０は、このようにトップケース１３０がボトムケース１２０に閉止状態で装着され、ボトムケース１２０およびトップケース１３０に囲まれて形成されるケース内部に主制御基板４１を収容するように構成されている。このように主制御基板４１を収容した状態において、ボトムケース１２０に対してトップケース１３０が前方（開放方向）にスライド移動することを規制して基板ケース１１０を閉止状態でロックするロック機構１４０が設けられている。
【００２６】
なお、トップケース１３０には、主制御基板４１のコネクタ（図示省略）の実装位置に対応して表裏貫通するコネクタ挿抜口（図示せず）が形成されており、主制御基板４１が基板ケース１１０内に収容された状態において、主制御基板４１のコネクタがコネクタ挿抜口を通して外部に露出し、演出制御基板４２や払出制御基板４３等とハーネス（コネクタケーブル）を介して電気接続可能となる。
【００２７】
ロック機構１４０は、図３および図１０に示すように、ボトムケース１２０の後側の側壁１２０ｂに形成されたボトム側係合部１５０と、トップケース１３０の後側の側壁１３０ｂに形成され、トップケース１３０がボトムケース１２０に装着された状態においてボトム側係合部１５０と係合するトップ側係合部１６０と、二本のロックバンド１７０と、ボトム側およびトップ側係合部１５０，１６０に取り付けられるロックカバー１８０とを有して構成されている。
【００２８】
ロックバンド１７０は、図６に示すように、帯状のバンド部１７１と、バンド部１７１の基端に一体に設けられた直方体形状のロック部１７２とを有して構成されている。バンド部１７１の表面には波状のロック溝（図示せず）が形成されている。ロック部１７２には、バンド部１７１が延びる方向と直交する方向に貫通した係合孔１７２ａが形成されている。係合孔１７２ａは、バンド部１７１が挿入可能な大きさに形成されており、係合孔１７２ａの内部にはロック爪（図示せず）が設けられている。ロックバンド１７０は、バンド部１７１を先端側から係合孔１７２ａに挿入すると、バンド部１７１表面のロック溝と係合孔１７２ａ内のロック爪とが係合してバンド部１７１を係合孔１７２ａから引き抜けなくなるように構成されている。
【００２９】
ボトム側係合部１５０は、図３および図４に示すように、ボトムケース１２０の基壁１２０ａに一体に繋がる矩形板状の基壁１５０ａ、および基壁１５０ａの周縁から立設されボトムケース１２０の後側の側壁１２０ｂに一体に繋がる上下および後側の側壁１５０ｂを有して構成されている。ボトム側係合部１５０の内部には、ロックバンド１７０が取り付けられるバンド取付部１５１が形成されている。
【００３０】
バンド取付部１５１は、ボトム側係合部１５０の後側の側壁１５０ｂの略中央の位置において開口し、ロックバンド１７０のロック部１７２を収容可能な大きさの内部空間を有する収容部１５１ａと、収容部１５１ａの内部空間から上方に延びて上側の側壁１５０ｂに開口するバンド挿通部１５１ｂとを有して構成されている。収容部１５１ａの前側内面（側壁１５０ｂの開口と対向する内面）には、ロックバンド１７０のバンド部１７１が挿通可能な大きさのバンド挿通孔１５２が形成されている。収容部１５１ａの上方位置には、後側の側壁１５０ｂに開口するとともにバンド挿通部１５１ｂに連通する連通孔１５３が形成されている。
【００３１】
ボトム側係合部１５０の基壁１５０ａには、上下方向に延びるスリット状のカバー取付凹部１５４が形成されている。カバー取付凹部１５４の上端部は、ボトム側係合部１５０の上側の側壁１５０ｂまで延びており上方に開口している。
【００３２】
トップ側係合部１６０は、図３および図５に示すように、トップケース１３０の基壁１３０ａに一体に繋がる矩形板状の基壁１６０ａ、および基壁１６０ａの周縁から立設されトップケース１３０の後側の側壁１３０ｂに一体に繋がる上下および後側の側壁１６０ｂを有して構成されている。トップ側係合部１６０の内部には、ボトム側係合部１５０と同様に、ロックバンド１７０が取り付けられるバンド取付部１６１が形成されている。
【００３３】
バンド取付部１６１は、上記バンド取付部１５１と同様に構成されており、トップ側係合部１６０の後側の側壁１６０ｂの略中央の位置において開口し、ロックバンド１７０のロック部１７２を収容可能な大きさの内部空間を有する収容部１６１ａと、収容部１６１ａの内部空間から上方に延びて上側の側壁１６０ｂに開口するバンド挿通部１６１ｂとを有して構成されている。収容部１６１ａの前側内面（側壁１６０ｂの開口と対向する内面）には、ロックバンド１７０のバンド部１７１が挿通可能な大きさのバンド挿通孔１６２が形成されている。収容部１６１ａの上方位置には、後側の側壁１６０ｂに開口するとともにバンド挿通部１６１ｂに連通する連通孔１６３が形成されている。
【００３４】
トップ側係合部１６０の基壁１６０ａには、ボトム側係合部１５０の基壁１５０ａと同様に、上下方向に延びるスリット状のカバー取付凹部１６４が形成されている。カバー取付凹部１６４の上端部は、トップ側係合部１６０の上側の側壁１６０ｂまで延びており上方に開口している。
【００３５】
ロックカバー１８０は、図７に示すように、矩形板状の上壁１８０ａ、左右壁１８０ｂ，１８０ｂおよび後壁１８０ｃを有し、全体として前面および下面が開放された矩形箱状に形成されている。左右壁１８０ｂ，１８０ｂの内面にはそれぞれ、上下方向に延びる取付凸部１８１が形成されている（図１１を参照）。これらの取付凸部１８１は、ボトム側およびトップ側係合部１５０，１６０のカバー取付凹部１５４，１６４に挿入可能な大きさの凸状に形成されている。ロックカバー１８０は、ボトム側係合部１５０とトップ側係合部１６０が係合された状態において、二つの取付凸部１８１をカバー取付凹部１５４，１６４に上方から挿入するようにしてボトム側およびトップ側係合部１５０，１６０に取り付けられる。このとき、左右壁１８０ｂ，１８０ｂによりボトム側およびトップ側係合部１５０，１６０の基壁１５０ａ，１６０ａを外側から挟み、ロックカバー１８０によりボトム側およびトップ側係合部１５０，１６０の基壁１５０ａ，１６０ａ並びに後側および上側の側壁１５０ｂ，１６０ｂを覆うようになっている（図１２および図１４を参照）。
【００３６】
ロックカバー１８０の上壁１８０ａには、上下に貫通する二つの第１バンド挿通孔１８２が左右に並んで形成されている。後壁１８０ｃには、前後に貫通する二つの第２バンド挿通孔１８３が左右に並んで形成されている。ロックカバー１８０がボトム側およびトップ側係合部１５０，１６０に装着された状態において、二つの第１バンド挿通孔１８２はそれぞれ、バンド取付部１５１，１６１のバンド挿通部１５１ｂ，１６１ｂの上端開口と連通する位置に形成されている。また、二つの第２バンド挿通孔１８３はそれぞれ、バンド取付部１５１，１６１の収容部１５１ａ，１６１ａの後端開口と連通する位置に形成されている。
【００３７】
二つの第２バンド挿通孔１８３から下方の後壁１８０ｃの内面は、後壁１８０ｃの他の部分よりも後方に拡がった形状に形成されている。すなわち、ロックカバー１８０がボトム側およびトップ側係合部１５０，１６０に装着された状態において、二つの第２バンド挿通孔１８３から下方の後壁１８０ｃの内面と後側の側壁１５０ｂ，１６０ｂとの隙間が、後壁１８０ｃの他の部分よりも大きくなるようになっている（図１６を参照）。
【００３８】
［主制御基板ケースユニットの作用］
次に、このように構成される主制御基板ユニット１００の作用について、図３および図８〜図１６を用いて説明する。主制御基板ケースユニット１００を組み立てるには、まず始めに、トップケース１３０の内面側に主制御基板４１をネジ止め固定してトップケース１３０に主制御基板４１を取り付ける。
【００３９】
そして、図３に示すように、トップケース１３０の取付突起１３１をボトムケース１２０の取付溝１２１（挿入溝部１２１ａ）に左方から挿入してトップケース１３０によってボトムケース１２０の開口を覆い、その後、ボトムケース１２０に対してトップケース１３０を後方（閉止方向）にスライド移動させて取付突起１３１を取付溝１２１の係止溝部１２１ｂに挿入させる。これによりトップケース１３０がボトムケース１２０に閉止状態で保持（装着）され、ボトムケース１２０およびトップケース１３０に囲まれて形成されるケース内部に主制御基板４１が収容される。このとき、図８に示すように、ボトム側係合部１５０とトップ側係合部１６０が係合した状態となる。
【００４０】
次に、図８および図９に示すように、二本のロックバンド１７０をそれぞれボトム側およびトップ側係合部１５０，１６０のバンド取付部１５１，１６１に取り付ける。このとき、ボトム側係合部１５０では、ロックバンド１７０のバンド部１７１を先端側からバンド取付部１５１の収容部１５１ａ、バンド挿通部１５１ｂの順に挿入し、ロックバンド１７０のロック部１７２を収容部１５１ａ内に収容するとともに、バンド部１７１の先端側をバンド挿通部１５１ｂの上端開口からボトム側係合部１５０の外部に突出させた状態において、ロックバンド１７０がバンド取付部１５１に取り付けられる。また、トップ側係合部１６０でも同様に、ロックバンド１７０がバンド取付部１６１に取り付けられる。バンド挿通部１５１ｂ，１６１ｂの下端部（収容部１５１ａ，１６１ａと繋がる部分）は後側の側壁１５０ｂ，１６０ｂに開口しており、この開口によりロックバンド１７０をバンド取付部１５１，１６１に挿入して取り付け易くなっている。なお、トップケース１３０をボトムケース１２０に装着する前に、ロックバンド１７０をボトム側およびトップ側係合部１５０，１６０にそれぞれ取り付けるようにしてもよい。
【００４１】
このようにロックバンド１７０がボトム側係合部１５０に取り付けられると、図９（ｂ）に示すように、ロック部１７２の係合孔１７２ａの後端開口が収容部１５１ａの後端開口を介して外部に露出し、係合孔１７２ａの前端開口が収容部１５１ａの前側内面に形成されたバンド挿通孔１５２と対向して連通した状態となる。また、トップ側係合部１６０に取り付けられたロックバンド１７０も同様に、係合孔１７２ａの後端開口が収容部１６１ａの後端開口を介して外部に露出し、係合孔１７２ａの前端開口が収容部１６１ａの前側内面に形成されたバンド挿通孔１６２と対向して連通した状態となる。
【００４２】
次に、図１０および図１１に示すように、ロックカバー１８０をボトム側およびトップ側係合部１５０，１６０に取り付ける。このとき、ボトム側およびトップ側係合部１５０，１６０に取り付けられた二本のロックバンド１７０のバンド部１７１を先端側からロックカバー１８０の二つの第１バンド挿通孔１８２にそれぞれ挿入する。また、ロックカバー１８０の二つの取付凸部１８１をボトム側およびトップ側係合部１５０，１６０のカバー取付凹部１５４，１６４にそれぞれ上方から挿入して、ロックカバー１８０がボトム側およびトップ側係合部１５０，１６０に取り付けられる。
【００４３】
このようにロックカバー１８０がボトム側およびトップ側係合部１５０，１６０に取り付けられると、図１２に示すように、ロックバンド１７０のバンド部１７１の先端側がロックカバー１８０の第１バンド挿通孔１８２を通ってロックカバー１８０の外部に突出した状態となる。また、図１４に示すように、ロックカバー１８０によりボトム側およびトップ側係合部１５０，１６０の基壁１５０ａ，１６０ａが外側から挟まれ、ロックカバー１８０によりボトム側およびトップ側係合部１５０，１６０の基壁１５０ａ，１６０ａ並びに上下および後側の側壁１５０ｂ，１６０ｂが覆われた状態となる。
【００４４】
続いて、図１２および図１３に示すように、二本のロックバンド１７０のバンド部１７１をそれぞれ下方に折り曲げて、バンド部１７１を先端側からロックカバー１８０の二つの第２バンド挿通孔１８３にそれぞれ挿入し、内部に収容されたロック部１７２の係合孔１７２ａにそれぞれ挿入する。このとき、図１３（ｂ）に示すように、ボトム側係合部１５０では、ロック部１７２の係合孔１７２ａに挿入されたバンド部１７１の先端側が、バンド取付部１５１の収容部１５１ａのバンド挿通孔１５２を通って、ボトム側係合部１５０の内部空間に突出した状態となる。また、図１４に示すように、トップ側係合部１６０においても同様に、バンド部１７１の先端側が、バンド取付部１６１の収容部１６１ａのバンド挿通孔１６２を通って、トップ側係合部１６０の内部空間に突出した状態となる。
【００４５】
このように二本のロックバンド１７０のバンド部１７１をロック部１７２にそれぞれ挿入することにより、ロックカバー１８０がボトム側およびトップ側係合部１５０，１６０に固定状態で取り付けられる。そして、このように固定されたロックカバー１８０によりボトムケース１２０に対してトップケース１３０が前方および左方（開放方向）に相対移動（スライド移動）することが規制される。その結果、ボトムケース１２０とトップケース１３０が閉止状態且つロック状態で一体化され、主制御基板ケースユニット１００が組み立てられることとなる。
【００４６】
次に、基板ケース１１０を開放するには、まず始めに、ロックカバー１８０の外側に露出している二本のロックバンド１７０をそれぞれカッター等の工具を用いて切断する。本実施形態では、ロックバンド１７０におけるロックカバー１８０の第２バンド挿通孔１８３近傍の部分（図１５において楕円で示した部分）を一箇所だけ切断する場合について説明する。なお、ロックバンド１７０の切断箇所は、第２バンド挿通孔１８３近傍以外の部分を切断してもよいし、複数の部分を切断してもよい。このように二本のロックバンド１７０が切断されると、ボトム側およびトップ側係合部１５０，１６０に対するロックカバー１８０の固定状態が解除される。
【００４７】
そして、図１６に示すように、ロックカバー１８０を上方にスライド移動させてボトム側およびトップ側係合部１５０，１６０から取り外す。このとき、図１６（ｂ）に示すように、ロックカバー１８０の第２バンド挿通孔１８３より下方の内面が後方に拡がった形状に形成されているため、ロックバンド１７０の切断端部がロックカバー１８０と干渉してロックカバー１８０の移動を妨げることを防ぎ、ロックカバー１８０を取り外し易くなっている（図１６（ｂ）において楕円で示した部分を参照）。このようにロックカバー１８０が取り外されると、ボトムケース１２０に対してトップケース１３０が開放方向にスライド移動可能な状態となり、トップケース１３０を開放方向にスライド移動させることにより基板ケース１１０が開放される。
【００４８】
以上、本実施形態に係る主制御基板ケースユニット１００によれば、ボトム側およびトップ側係合部１５０，１６０内にそれぞれロック部１７２が収容された二本のロックバンド１７０により、ロックカバー１８０がボトム側およびトップ側係合部１５０，１６０に固定状態で取り付けられる。そして、このように固定されたロックカバー１８０によりボトムケース１２０に対してトップケース１３０が前方および左方（開放方向）に相対移動（スライド移動）することが規制される構成である。そのため、基板ケース１１０の不正な開放を防止して、主制御基板４１に対する不正な改造行為を受け難くすることが可能である。また、二本のロックバンド１７０のロック部１７２がボトム側およびトップ側係合部１５０，１６０の収容部１５１ａ，１６１ａ内にそれぞれ収容された状態で取り付けられているため、ロック部１７２に対して不正な操作を行ってロックバンド１７０を解除させることは困難となる。そのため、基板ケース１１０を開放するには上述のようにロックバンド１７０を切断しなくてはならず、ロックバンド１７０の再利用は不可能となる。したがって、複数の中古機等から同型の基板ケース（１１０）を取り出し、これらの中からケース構成部品を無傷の状態でそれぞれ抽出して適宜に組み合わせることにより、１個の新たな基板ケース（１１０）を複製し、これを正規品とすり替える、所謂二個一（ニコイチ）と称される不正行為を防止することができる。
【００４９】
また、ロックカバー１８０の第２バンド挿通孔１８３より下方（取り外し方向後側）の内面が後方に拡がった形状に形成されている。そのため、ロックカバー１８０を取り外す際にロックバンド１７０おけるロックカバー１８０の第２バンド挿通孔１８３近傍の部分を切断した場合には、そのロックバンド１７０の切断端部がロックカバー１８０と干渉してロックカバー１８０の取り外し方向への移動を妨げることを防ぎ、ロックカバー１８０を取り外し易くすることができる。
【００５０】
なお、本発明は、上記実施形態に限定されるものではなく、本発明の要旨を逸脱しない範囲であれば適宜改良可能である。例えば、上述の実施形態において、図１７に示すように、ロックバンド１７０のロック部１７２と同様の係合構造、すなわちバンド部１７１が挿入可能な大きさの係合孔およびその係合孔内部にロック爪を有するケース側ロック部１９０を、ボトム側およびトップ側係合部１５０，１６０内における、収容部１５１ａ，１６１ａのバンド挿通孔１５２，１６２を通ってボトム側およびトップ側係合部１５０，１６０の内部空間に突出したバンド部１７１の先端側が挿入される位置に、それぞれ設けるようにしてもよい。このように構成すれば、ロックバンド１７０を切断してロックカバー１８０を取り外した後に、ロックバンド１７０をボトム側およびトップ側係合部１５０，１６０（バンド取付部１５１，１６１）から取り外し難くすることができる。
【００５１】
また、上述の実施形態において、図１８に示すように、ボトム側およびトップ側係合部１５０，１６０の内部に、トップケース１３０が開放方向にスライド移動することを規制してボトムケース１２０およびトップケース１３０を閉止状態且つロック状態とするカシメ機構２００を備える構成としてもよい。このように構成すれば、上述のロック機構１４０（二本のロックバンド１７０およびロックカバー１８０）およびカシメ機構２００により不正開放防止機構を多重化させることができ、基板ケース１１０の不正な開放をより確実に防止することができる。
【００５２】
また、上述の実施形態において、二本のロックバンド１７０およびロックカバー１８０に共通のシリアルナンバーを付けて管理するように構成してもよい。このように構成すれば、上述の所謂二個一（ニコイチ）と称される不正行為をより確実に防止することができる。
【００５３】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【００５４】
４１  主制御基板
１００  主制御基板ケースユニット
１１０  基板ケース
１２０  ボトムケース（第１ケース部材）
１３０  トップケース（第２ケース部材）
１４０  ロック機構
１５０  ボトム側係合部（第１係合部）
１５１  バンド取付部（第１バンド取付部）
１６０  トップ側係合部（第２係合部）
１６１  バンド取付部（第２バンド取付部）
１７０  ロックバンド（バンド部材）
１７１  バンド部
１７２  ロック部
１７２ａ  係合孔
１８０  ロックカバー
１８２  第１バンド挿通孔
１８３  第２バンド挿通孔
１９０  ケース側ロック部
【図１】
2015205083.tif 000003
【図２】
2015205083.tif 000004
【図３】
2015205083.tif 000005
【図４】
2015205083.tif 000006
【図５】
2015205083.tif 000007
【図６】
2015205083.tif 000008
【図７】
2015205083.tif 000009
【図８】
2015205083.tif 000010
【図９】
2015205083.tif 000011
【図１０】
2015205083.tif 000012
【図１１】
2015205083.tif 000013
【図１２】
2015205083.tif 000014
【図１３】
2015205083.tif 000015
【図１４】
2015205083.tif 000016
【図１５】
2015205083.tif 000017
【図１６】
2015205083.tif 000018
【図１７】
2015205083.tif 000019
【図１８】
2015205083.tif 000020